(57)【要約】【課題】  使用しないときに楽器全体をコンパクトにし、省スペース化が図れる鍵盤楽器を提供する。【解決手段】  複数の鍵が配列された鍵盤ケース１と、この鍵盤ケース１に連結される連結部１１をそれぞれ有して鍵盤ケース１を支持する一対のスタンド部材２、３と、鍵盤ケース１に設けられて一対のスタンド部材２、３の各連結部１１を接離方向に移動自在にガイドする一対のガイド溝部５、６と、各ガイド溝部５、６が互いに接近する鍵盤ケース１の中央部分に回転可能に設けられ、一対のスタンド部材２、３が互いに接近したときに、各連結部１１が挿入する一対の保持溝部３１、３２を有する回転部材７とを備えた。従って、使用するときに一対のスタンド部材２、３で鍵盤ケース１を水平に支持でき、使用しないときに回転部材を中心に鍵盤ケース１を回転させて垂直に起立させることができる。これにより、楽器全体がコンパクトになり、設置スペースの省スペース化が図れる。【選択図】        図３
2008242116.tif 000002
【特許請求の範囲】
【請求項１】
複数の鍵が配列された鍵盤ケースと、
この鍵盤ケースに連結される連結部をそれぞれ有して前記鍵盤ケースを支持する一対のスタンド部材と、
前記鍵盤ケースに設けられて前記一対のスタンド部材の前記各連結部を接離方向に移動自在にガイドする一対のガイド溝部と、
この一対のガイド溝部が互いに接近する前記鍵盤ケースの中央部分に回転可能に設けられ、前記一対のスタンド部材が互いに接近して前記各連結部が前記鍵盤ケースの中央部分に移動したときに、前記各連結部が前記一対のガイド溝部からそれぞれ離脱して挿入する一対の保持溝部を有する回転部材と
を備えたことを特徴とする鍵盤楽器。
【請求項２】
前記一対のガイド溝部と前記回転部材とは、前記鍵盤ケースの背面のみに設けられていることを特徴とする請求項１に記載の鍵盤楽器。
【請求項３】
前記一対のガイド溝部は、前記鍵盤ケースの少なくとも背面にその長手方向に沿って直線状に設けられた各スリット孔と、前記鍵盤ケース内に前記各スリット孔と対応して設けられ且つ前記各スリット孔の上側に位置する上部の前後および前記各スリット孔の下側に位置する下部の前後にそれぞれ各レールを有する各レール部が上下に対向して設けられた一対のガイドレールとを備えており、
前記一対のスタンド部材の前記各連結部は、前記一対のスタンド部材の上端部に固定軸によって取り付けられて前記鍵盤ケース内を前記一対のガイドレールに沿って移動する支持板と、この支持板にそれぞれ回転自在に設けられて前記ガイドレールの前記各レール部にガイドされて転動する複数の支持ローラとを備えていることを特徴とする請求項１または２に記載の鍵盤楽器。
【請求項４】
前記一対のスタンド部材が互いに離れて前記鍵盤ケースの両側を支持したときに、前記鍵盤ケースに対し前記一対のスタンド部材を位置規制する第１の位置規制部材と、
前記一対のスタンド部材が互いに接近して前記各連結部が前記回転部材の前記各保持溝部に位置した状態で、前記鍵盤ケースが前記回転部材を中心に回転して垂直に起立したときに、前記鍵盤ケースに対し前記一対のスタンド部材を位置規制する第２の位置規制部材と
を備えていることを特徴とする請求項１〜３のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、複数の鍵が配列された鍵盤ケースと、この鍵盤ケースの両側を支える一対の支持側板とを備え、鍵盤ケースの両側面に回転軸とガイド突起とをそれぞれ設け、一対の支持側板の互いに対向する各内面上部に鍵盤ケースの回転軸が回転自在に嵌合する軸受け穴と鍵盤ケースのガイド突起をガイドするガイド溝とをそれぞれ設け、回転軸を中心として鍵盤ケースを回転させると、鍵盤ケースのガイド突起が支持側板のガイド溝によってガイドされ、これにより鍵盤ケースを使用可能な水平状態と使用しない垂直状態とになるように構成したものがある。
【特許文献１】実開平０４−１２４２９３号
【０００３】
すなわち、この種の鍵盤楽器は、使用するときに回転軸を中心として鍵盤ケースを回転させて、鍵盤ケースのガイド突起を支持側板のガイド溝に沿って斜め上方にガイドすることにより、鍵盤ケースを一対の支持側板間における上部に水平な状態で配置させることができ、また使用しないときに回転軸を中心として鍵盤ケースを回転させて、鍵盤ケースのガイド突起を支持側板のガイド溝に沿って斜め下方にガイドすることにより、鍵盤ケースを一対の支持側板間における上部奥側に垂直な状態で配置させることができるように構成されている。
【発明の開示】
【発明が解決しようとする課題】
【０００４】
しかしながら、このような従来の鍵盤楽器では、使用しないときに回転軸を中心として鍵盤ケースを回転させて、鍵盤ケースを一対の支持側板間における上部奥側に垂直な状態で配置させるだけ、一対の支持側板を互いに接近させることができないため、楽器全体を十分にコンパクトにすることができず、楽器を設置するための設置スペースの省スペース化を図ることできないという問題がある。
【０００５】
この発明が解決しようとする課題は、使用しないときに楽器全体を十分にコンパクトにして、設置スペースの省スペース化を図ることができる鍵盤楽器を提供することである。
【課題を解決するための手段】
【０００６】
この発明は、上記課題を解決するために、次のような構成要素を備えている。
請求項１に記載の発明は、複数の鍵が配列された鍵盤ケースと、この鍵盤ケースに連結される連結部をそれぞれ有して前記鍵盤ケースを支持する一対のスタンド部材と、前記鍵盤ケースに設けられて前記一対のスタンド部材の前記各連結部を接離方向に移動自在にガイドする一対のガイド溝部と、この一対のガイド溝部が互いに接近する前記鍵盤ケースの中央部分に回転可能に設けられ、前記一対のスタンド部材が互いに接近して前記各連結部が前記鍵盤ケースの中央部分に移動したときに、前記各連結部が前記一対のガイド溝部からそれぞれ離脱して挿入する一対の保持溝部を有する回転部材とを備えたことを特徴とする鍵盤楽器である。
【０００７】
請求項２に記載の発明は、前記一対のガイド溝部と前記回転部材とが、前記鍵盤ケースの背面のみに設けられていることを特徴とする請求項１に記載の鍵盤楽器である。
【０００８】
請求項３に記載の発明は、前記一対のガイド溝部が、前記鍵盤ケースの少なくとも背面にその長手方向に沿って直線状に設けられた各スリット孔と、前記鍵盤ケース内に前記各スリット孔と対応して設けられ且つ前記各スリット孔の上側に位置する上部の前後および前記各スリット孔の下側に位置する下部の前後にそれぞれ各レールを有する各レール部が上下に対向して設けられた一対のガイドレールとを備えており、前記一対のスタンド部材の前記各連結部は、前記一対のスタンド部材の上端部に固定軸によって取り付けられて前記鍵盤ケース内を前記一対のガイドレールに沿って移動する支持板と、この支持板にそれぞれ回転自在に設けられて前記ガイドレールの前記各レール部にガイドされて転動する複数の支持ローラとを備えていることを特徴とする請求項１または２に記載の鍵盤楽器である。
【０００９】
請求項４に記載の発明は、前記一対のスタンド部材が互いに離れて前記鍵盤ケースの両側を支持したときに、前記鍵盤ケースに対し前記一対のスタンド部材を位置規制する第１の位置規制部材と、前記一対のスタンド部材が互いに接近して前記各連結部が前記回転部材の前記各保持溝部に位置した状態で、前記鍵盤ケースが前記回転部材を中心に回転して垂直に起立したときに、前記鍵盤ケースに対し前記一対のスタンド部材を位置規制する第２の位置規制部材とを備えていることを特徴とする請求項１〜３のいずれかに記載の鍵盤楽器である。
【発明の効果】
【００１０】
この発明によれば、一対のスタンド部材を互いに離れる方向に移動させると、一対のスタンド部材の各連結部が、鍵盤ケースに設けられた一対のガイド溝部に沿って互いに離れる方向にガイドされて、一対のガイド溝部の互いに離れた端部に移動するので、一対のスタンド部材で鍵盤ケースの両側を支持することができ、これにより鍵盤ケースを水平な状態で安定させて支持することができるので、良好に演奏をすることができる。
【００１１】
また、一対のスタンド部材を互いに接近する方向に移動させると、一対のスタンド部材の各連結部が、鍵盤ケースの一対のガイド溝部に沿ってガイドされて鍵盤ケースの中央部分に移動し、一対のガイド溝部から離脱して回転部材の一対の保持溝部に挿入し、この状態で回転部材を中心に鍵盤ケースを回転させて垂直に起立させることができる。これにより、使用しないときに楽器全体を十分にコンパクトにすることができ、楽器を設置するための設置スペースの大幅な省スペース化を図ることができる。
【発明を実施するための最良の形態】
【００１２】
以下、図１〜図１２を参照して、この発明を適用した鍵盤楽器の一実施形態について説明する。
この鍵盤楽器は、図１〜図５に示すように、鍵盤ケース１と、この鍵盤ケース１を支持する左右一対のスタンド部材２、３とを備えている。鍵盤ケース１は、図１〜図３に示すように、横方向に長い箱形状に形成され、その内部に白鍵および黒鍵などの鍵４が多数配列された構成になっている。この場合、多数の鍵４は、その前部側（図２では上辺側）における上面および前面が外部に露出し、この露出した部分が押鍵操作されるように構成されている。
【００１３】
また、この鍵盤ケース１内には、押鍵操作に基づいて楽音を発生させるために必要な各種の電子部品（図示せず）が設けられている。そして、この鍵盤ケース１の背面１ａ（図２では手前側の側面）には、図３〜図５に示すように、後述する一対のガイド溝部５、６が鍵盤ケース１の長手方向に沿って一直線上に設けられていると共に、この一対のガイド溝部５、６が互いに接近する鍵盤ケース１の背面１ａにおける中央部分には、後述する回転部材７が回転可能に設けられている。
【００１４】
一対のスタンド部材２、３は、図１〜図３に示すように、それぞれ台座部８と支持アーム部９とを備え、鍵盤ケース１が水平な状態において一方（図３では左側）のスタンド部材２が鍵盤ケース１の左側を支持し、他方（図３では右側）のスタンド部材３が鍵盤ケース１の右側を支持するように構成されている。すなわち、台座部８は、図１〜図３に示すように、鍵盤ケース１の背面１ａ側（図２では上辺側）に対応する後脚部８ａと、鍵盤ケース１の前面１ｂ側（図２では下辺側）に対応する前脚部８ｂと、後脚部８ａと前脚部８ｂとを連結する連結脚部８ｃとからなり、全体が上方から見てほぼエ形状に形成されている。
【００１５】
この場合、左側のスタンド部材２の台座部８と右側のスタンド部材３の台座部８とは、図４に示すように、互いに接近したときに相互に接触しないように、図２に示すように、鍵盤ケース１の前後方向に位置がずれて設けられている。また、一対のスタンド部材２、３の各後脚部８ａと前脚部８ｂとの各下面には、それぞれ複数のキャスタ１０が取り付けられている。また、各支持アーム部９は、図１〜図３に示すように、各台座部８の各後脚部８ａの中間部に垂直に起立して設けられ、その各上部がそれぞれ互いに接近する方向に向けて斜め上方に傾斜する傾斜部９ａに形成されている。
【００１６】
この各傾斜部９ａの各上端部は、鍵盤ケース１の背面１ａに対面しており、この対面した各上端部には、鍵盤ケース１の背面１ａに設けられた一対のガイド溝部５、６に沿って移動可能に取り付けられる連結部１１がそれぞれ設けられている。この場合、左側の支持アーム部９は、図２に示すように、台座部８の後脚部８ａの後面に固定されており、右側の支持アーム部９は、台座部８の後脚部８ａの上面に固定されている。これにより、左右の各支持アーム部９は、図２に示すように、左右の各台座部８が前後に位置がずれていても、鍵盤ケース１の前後方向における位置が同じになるように、各台座部８にそれぞれ設けられている。
【００１７】
これにより、一対のスタンド部材２、３は、図１および図２に示すように、各台座部８に設けられた各支持アーム部９における各傾斜部９ａの各上端部が、各連結部１１により鍵盤ケース１の背面１ａに設けられた一対のガイド溝部５、６に移動可能に連結され、これにより鍵盤ケース１を支持するように構成されている。この場合、各支持アーム部９は、各傾斜部９ａの各上端部が各後脚部８ａの互いに接近する端部のほぼ真上に位置している。これにより、各支持アーム部９は、各後脚部８ａが互いに接近して各連結部１１が鍵盤ケース１の中央部分に移動したときに、図４および図５に示すように、各連結部１１が一対のガイド溝部５、６から離脱して回転部材７に移動することにより、各傾斜部９ａの各上端部が最も接近するように構成されている。
【００１８】
ところで、一対のガイド溝部５、６は、図３および図４に示すように、一対のスタンド部材２、３の各連結部１１を水平方向にガイドするためのものであり、一方（図３では左側）のガイド溝部５は、鍵盤ケース１の背面１ａにおける中央部分から左側に設けられており、他方（図３では右側）のガイド溝部６は、鍵盤ケース１の背面１ａにおける中央部分から右側に設けられている。この一対のガイド溝部５、６は、図３、図６、図７に示すように、それぞれ鍵盤ケース１の背面１ａにその長手方向に沿って一直線上に設けられた各スリット孔５ａ、６ａと、鍵盤ケース１の背面１ａにおける内面に各スリット孔５ａ、６ａと対応して設けられた各ガイドレール１２とを備えている。
【００１９】
この各ガイドレール１２は、図６および図７に示すように、それぞれ上側レール部１３と下側レール部１４とを備え、この上側レール部１３と下側レール部１４とが鍵盤ケース１の各スリット孔５ａ、６ａの上下に少し離れた状態で鍵盤ケース２の背面１ａにおける内面にビス１５によって取り付けられている。この場合、上側レール部１３の下面には、図６に示すように、鍵盤ケース１内における前側（図６では左側）に位置する前レール１３ａと、鍵盤ケース１内における後側（図６では右側）である背面１ａ側に位置する後レール１３ｂとが下方に突出して設けられている。また、下側レール部１４の上面には、上側レール部１３の前レール１３ａに対応する前レール１４ａと、上側レール部１３の後レール１３ｂに対応する後レール１４ｂとが上方に突出して設けられている。
【００２０】
一方、一対のスタンド部材２、３の各連結部１１は、図６および図７に示すように、一対のスタンド部材２、３の各支持アーム部９における各傾斜部９ａの上端部にナット１６ａによって取り付けられた固定軸１６と、この固定軸１６に取り付けられた支持板１７と、この支持板１７にそれぞれ回転自在に設けられてガイドレール１２の上側レール部１３と下側レール部１４とにガイドされて転動する複数の支持ローラ１８とを備えている。
【００２１】
この場合、固定軸１６は、図６に示すように、一対のガイド溝部５、６の各スリット孔５ａ、６ａを通して鍵盤ケース１内に挿入し、この挿入した先端（図６では左端）に支持板１７が設けられている。支持板１７は、図６および図７に示すように、鍵盤ケース１内に位置して一対のガイドレール１２に沿って移動するように構成されている。この支持板１７の内面（図６では左側面）における上下の４隅付近には、それぞれ支持ローラ１８が回転自在に取り付けられている。
【００２２】
これら支持ローラ１８は、それぞれ支持板１７に取り付けられた軸部２０と、この軸部２０に回転自在に取り付けられたローラ部２１とを備えている。この場合、支持板１７の上部両側に位置する２つのローラ部２１には、図６に示すように、ガイドレール１２の上側レール部１３に設けられた前レール１３ａと後レール１３ｂとがそれぞれ挿入するガイド溝２１ａ、２１ａが設けられている。また、支持板１７の下部両側に位置する２つのローラ部２１にも、図６に示すように、ガイドレール１２の下側レール部１４に設けられた前レール１４ａと後レール１４ｂとがそれぞれ挿入するガイド溝２１ｂ、２１ｂが設けられている。
【００２３】
これにより、支持板１７の上部側に位置する２つのローラ部２１は、図６および図７に示すように、その各ガイド溝２１ａ、２１ａに上側レール部１３の前レール１３ａと後レール１３ｂとが挿入していることにより、前後方向（図６では左右方向）にガタツクことなく、上側レール部１３にガイドされて転動する。また、支持板１７の下部側に位置する２つのローラ部２１は、図６および図７に示すように、その各ガイド溝２１ｂ、２１ｂに下側レール部１４の前レール１４ａと後レール１４ｂとが挿入していることにより、前後方向（図６では左右方向）にガタツクことなく、下側レール部１３にガイドされて転動する。
【００２４】
このため、一対のスタンド部材２、３の各連結部１１は、図６および図７に示すように、上側に位置する２つの支持ローラ１８が上側レール部１３で上方から押えられて、上側に位置する２つの支持ローラ１８の上部位置が規制され、また下側に位置する２つの支持ローラ１８が下側レール部１４で下方から押えられて、下側に位置する２つの支持ローラ１８の下部位置が規制されていることにより、一対のスタンド部材２、３の各支持アーム部９に対し鍵盤ケース１が上下方向にガタツクことなく、安定した状態で各支持アーム部９と鍵盤ケース１とを連結するように構成されている。
【００２５】
一方、鍵盤ケース１の背面１ａにおける中央部分に設けられた回転部材７は、図８〜図１１に示すように、鍵盤ケース１内の底板部１ｃ上にボルト２３ａによって固定された固定台２３と、この固定台２３の上部に固定ビス２２によって固定された取付軸２４と、この取付軸２４に回転自在に取り付けられた回転円板２５とを備えている。この場合、取付軸２４は、図８に示すように、鍵盤ケース１の背面１ａにおける中央部分に設けられた円形状の孔部２６の中心に対応する位置に設けられている。すなわち、鍵盤ケース１の円形状の孔部２６は、その中心が一対のガイド溝部５、６の各スリット孔５ａ、６ａが互いに接近する端部の中間部分に位置している。
【００２６】
回転円板２５は、図８および図９に示すように、鍵盤ケース１の円形状の孔部２６に対応した状態で、ボールベアリングなどの軸受け部材２７によって取付軸２４に回転自在に取り付けられている。また、回転円板２５と取付軸２４と間には、ダンパ部材２８が設けられている。このダンパ部材２８は、回転円板２５に固定された円板状のダンパ部２８ａと、取付軸２４に固定された円板状のダンパ部２８ｂとを備え、回転円板２５のダンパ部２８ａと取付軸２４のダンパ部２８ｂとが所定の接触圧で面接触し、その面接触の摩擦力により回転円板２５に対して負荷を与えることにより、回転円板２５の回転動作を制動するように構成されている。
【００２７】
この場合、回転円板２５と固定台２３との間には、ナイロンなどの合成樹脂製のワッシャ２９が配置されている。また、取付軸２４の一端部（図９では左端部）には、固定台２３に対する取付軸２４の抜けを防ぐための抜け止めリング２４ａが取り付けられており、取付軸２４の他端部（図９では右端部）には、その先端側から回転円板２５が抜けるのを防ぐための抜け止め部２４ｂが設けられている。この抜け止め部２４ｂと回転円板２５との間にも、ナイロンなどの合成樹脂製のワッシャ２９が配置されている。さらに、この回転円板２５の表面、つまり鍵盤ケース１の円形状の孔部２６内に位置して外部に露出する表面には、化粧板３０がビス３０ａによって取り付けられている。
【００２８】
ところで、この回転円板２５には、図８〜図１１に示すように、一対のスタンド部材２、３が互いに接近して各連結部１１が鍵盤ケース１の中央部分に移動したときに、各連結部１１が一対のガイド溝部５、６からそれぞれ離脱して挿入する一対の保持溝部３１、３２がそれぞれ設けられている。この一対の保持溝部３１、３２は、図８に示すように、一対のガイド溝部５、６に連続可能に対応し、回転円板２５の中心側に位置する端部同士が回転部材７の取付軸２４の外径よりも少し広い間隔だけ離れた状態で回転円板２５に設けられている。
【００２９】
すなわち、一対の保持溝部３１、３２は、図８および図１１に示すように、一対のガイド溝部５、６と同様、回転円板２５の化粧板３０に設けられて一対のガイド溝部５、６の各スリット孔５ａ、６ａに連続可能に対応する各スリット孔３１ａ、３２ａと、回転円板２５の内側面（図１１では左側）に各スリット孔３１ａ、３２ａと対応する各ガイドレール３３とを備えている。この場合、各スリット孔３１ａ、３２ａは、図８に示すように、回転円板２５の中心を通る直線上に位置し、回転円板２５の中心側に位置する端部同士が回転部材７の取付軸２４の外径よりも少し広い間隔だけ離れ、各他端部が回転円板２５に設けられた化粧板３０の外周端に開放されている。
【００３０】
また、各ガイドレール３３は、図１１に示すように、それぞれ上側レール部３４と下側レール部３５とを備え、この上側レール部３４と下側レール部３５とが、化粧板３０の各スリット孔３１ａ、３２ａの上下に少し離れた状態で、回転円板２５の内側面（図１１では左側面）に一体に形成されている。この場合、上側レール部３４の下面には、図１１に示すように、鍵盤ケース１内における前側（図１１では左側）に位置する前レール３４ａと、鍵盤ケース１内における後側（図１１では右側）である背面１ａ側に位置する後レール３４ｂとが下方に突出して設けられている。また、下側レール部３５の上面には、上側レール部３４の前レール３４ａに対応する前レール３５ａと、上側レール部３４の後レール３４ｂに対応する後レール３５ｂとが上方に突出して設けられている。
【００３１】
これにより、一対の保持溝部３１、３２は、回転部材７の回転円板２５が取付軸２４を中心に回転して一対のガイド溝部５、６に対応したときに、一対の保持溝部３１、３２の各スリット孔３１ａ、３２ａと一対のガイド溝部５、６の各スリット孔５ａ、６ａとが対応して連続し、これに伴って一対の保持溝部３０、３１の各ガイドレール３３と一対のガイド溝部５、６の各ガイドレール１２とが対応して連続し、この状態で一対のスタンド部材２、３が互いに接近した際に、一対のスタンド部材２、３の各連結部１１が一対のガイド溝部５、６から離脱して一対の保持溝部３１、３２にそれぞれ挿入するように構成されている。
【００３２】
すなわち、一対のスタンド部材２、３の各連結部１１は、図１１に示すように、一対のガイド溝部５、６と同様、支持板１７の上部側に位置する２つのローラ部２１の各ガイド溝２１ａ、２１ａに上側レール部３４の前レール３４ａと後レール３４ｂとがそれぞれ挿入していることにより、回転円板２５に対し前後方向（図１１では左右方向）にガタツクことなく、上側レール部３４にガイドされて転動する。また、支持板１７の下部側に位置する２つのローラ部２１は、図１１に示すように、その各ガイド溝２１ｂ、２１ｂに下側レール部３５の前レール３５ａと後レール３５ｂとが挿入していることにより、回転円板２５に対し前後方向（図１１では左右方向）にガタツクことなく、下側レール部３５にガイドされて転動する。
【００３３】
このため、一対のスタンド部材２、３の各連結部１１は、図１１に示すように、上側に位置する２つの支持ローラ１８が上側レール部３４で上方から押えられて、上側に位置する２つの支持ローラ１８の上部位置が規制され、また下側に位置する２つの支持ローラ１８が下側レール部３５で下方から押えられて、下側に位置する２つの支持ローラ１８の下部位置が規制され、これにより鍵盤ケース１の回転円板２５を一対のスタンド部材２、３の各支持アーム部９に対し上下方向にガタツクことなく、安定した状態で各支持アーム部９と鍵盤ケース１とを連結するように構成されている。
【００３４】
ところで、回転円板２５は、その回転位置が回転規制部材３７によって規制されるように構成されている。すなわち、この回転規制部材３７は、図８に示すように、鍵盤ケース１の背面１ａにおける内面に設けられて中央部に弾力突起３８ａが設けられた板ばね３８と、回転円板２５の外周面に設けられて板ばね３８の弾力突起３８ａがクリック感をもって係脱可能に係合する２つの係合凹部４０、４１とを備えている。
【００３５】
この場合、２つの係合凹部４０、４１のうち、一方（図８では右側）の係合凹部４０は、図８に示すように、一対のガイド溝部５、６と一対の保持溝部３１、３２とが対応して連続した状態のときに、板ばね３８の弾力突起３８ａが弾力的に係合し、これにより回転円板２５の回転位置を規制するように構成されている。また、他方（図８では左側）の係合凹部４１は、図８に示すように、一対の保持溝部３１、３２が一対のガイド溝部５、６に対して９０°回転したときに、板ばね３８の弾力突起３８ａが弾力的に係合し、これにより回転円板２５の回転位置を規制するように構成されている。
【００３６】
また、この鍵盤ケース１は、図１に示すように、一対のスタンド部材２、３が互いに離れて鍵盤ケース１の両側を支持したときに、鍵盤ケース１に対し一対のスタンド部材２、３を位置規制する第１の位置規制部材４２と、図５に示すように、一対のスタンド部材２、３が互いに接近して各連結部１１が鍵盤ケース１の中央部分に移動した状態で、鍵盤ケース１が回転部材７を中心として回転して垂直に起立したときに、鍵盤ケース１に対し一対のスタンド部材２、３を位置規制する第２の位置規制部材４３とを備えている。
【００３７】
これら第１、第２の各位置規制部材４２、４３は、図１２（ａ）および図１２（ｂ）に示すように、それぞれ鍵盤ケース１の背面１ａに設けられた貫通孔１ｄに出没方向（図１２では上下方向）に移動可能に挿入された支持ピン４４と、この支持ピン４４を鍵盤ケース１の背面１ａから外部に向けて押し出す方向（図１２では上方）に付勢するコイルばね４５とを備えている。
【００３８】
この場合、支持ピン４４は、鍵盤ケース１内に位置する内端部（図１２では下端部）に抜け止め用の鍔部４４ａが設けられ、鍵盤ケース１の外部に位置する外端部（図１２では上端部）に頭部４４ｂが設けられている。また、コイルばね４５は、支持ピン４４の外周に配置された状態で、支持ピン４４の頭部４４ｂと鍵盤ケース１の背面１ａとの間に配置されている。
【００３９】
これにより、第１の位置規制部材４２は、図１に示すように、鍵盤ケース１の背面１ａにおける両側にそれぞれ配置され、一対のスタンド部材２、３が互いに最も離れたときに、図１２（ａ）に示すように、その支持ピン４４の頭部４４ｂに各支持アーム部９の傾斜部９ａにおける各対向縁が当接して、図１に示すように、一対のスタンド部材２、３が互いに接近する方向に移動するのを規制し、コイルばね４５のばね力に抗して支持ピン４４が押し込まれたときに、図１２（ｂ）に示すように、一対のスタンド部材２、３の規制を解除するように構成されている。
【００４０】
また、第２の位置規制部材４３は、図５に示すように、鍵盤ケース１の背面１ａにおける回転円板２５の近傍に位置する箇所にそれぞれ配置され、一対のスタンド部材２、３が互いに最も接近したときに、支持ピン４４の頭部４４ｂに各支持アーム部９の傾斜部９ａにおける各対向縁が当接して、一対のスタンド部材２、３が互いに離れる方向に移動するのを規制し、コイルばね４５のばね力に抗して支持ピン４４が押し込まれたときに、一対のスタンド部材２、３の規制を解除するように構成されている。
【００４１】
次に、この鍵盤楽器の作用について説明する。
まず、この鍵盤楽器を使用する場合には、図１に示すように、一対のスタンド部材２、３を互いに離れる方向に移動させる。このときには、一対のスタンド部材２、３の各台座部８にそれぞれ設けられた複数のキャスタ１０が床上を転動しながら、一対のスタンド部材２、３の各支持アーム部９に設けられた各連結部１１が鍵盤ケース１の背面１ａに設けられた一対のガイド溝部５、６に沿ってガイドされて各ガイド溝部５、６の両端部に円滑に移動する。これにより、鍵盤ケース１が一対のスタンド部材２、３によって水平に支持される。
【００４２】
そして、各支持アーム部９の各傾斜部９ａが鍵盤ケース１における背面１ａの両側に設けられた第１の位置規制部材４２を乗り越えると、図１２（ａ）に示すように、第１の位置規制部材４２の支持ピン４４に、各支持アーム部９の各傾斜部９ａにおける各対向縁が当接して、図１に示すように、一対のスタンド部材２、３が互いに接近する方向に移動するのを規制する。これにより、一対のスタンド部材２、３が勝手に互いに接近する方向に移動するのを防ぐことができるので、安定した状態で鍵盤ケース１の両側を支持することができ、これにより安全に鍵盤ケース１の鍵４を押鍵操作して良好に演奏をすることができる。
【００４３】
また、この鍵盤楽器を使用しないときには、図４に示すように、一対のスタンド部材２、３を互いに接近させて各連結部１１を鍵盤ケース１の回転部材７に移動させ、この状態で図５に示すように鍵盤ケース１を回転させて垂直に起立させることができる。このときには、まず、回転部材７における一対の保持溝部３１、３２が一対のガイド溝部５、６に対応して連続しているかを確認し、対応していなければ、回転円板２５を回転させて一対の保持溝部３１、３２を一対のガイド溝部５、６に対応させて連続させる。
【００４４】
この場合、図８に示すように、一対のガイド溝部５、６と一対の保持溝部３１、３２とが対応して連続すると、回転規制部材３７の板ばね３８の弾力突起３８ａが回転円板２５の係合凹部４０にクリック感をもって弾力的に係合して回転円板２５の回転位置を規制する。この状態で、第１の位置規制部材４２の支持ピン４４を押し込んで、図１２（ｂ）に示すように、一対のスタンド部材２、３の規制を解除すると、一対のスタンド部材２、３が互いに接近する方向に移動可能な状態になり、一対のスタンド部材２、３を互いに接近する方向に移動させることができる。
【００４５】
このときにも、一対のスタンド部材２、３の各台座部８にそれぞれ設けられた複数のキャスタ１０が床上を転動しながら、一対のスタンド部材２、３の各支持アーム部９に設けられた各連結部１１が、鍵盤ケース１の背面１ａに設けられた一対のガイド溝部５、６に沿ってガイドされて、鍵盤ケース１の中央部分に円滑に移動する。これにより、一対のスタンド部材２、３の各連結部１１が、図４および図８に示すように、鍵盤ケース１の一対のガイド溝部５、６から離脱して回転円板２５の一対の保持溝部３１、３２に挿入する。
【００４６】
このため、回転部材７の回転円板２５が各連結部１１を介して一対のスタンド部材２、３で支持されることにより、互いに接近した一対のスタンド部材２、３によって鍵盤ケース１が支持される。この状態で、回転部材７の回転円板２５つまり回転円板２５の取付軸２４を中心として鍵盤ケース１を回転させると、回転部材７の回転円板２５は回転せず、この回転円板２５に対し鍵盤ケース１が回転して、図５に示すように、鍵盤ケース１をほぼ垂直に起立させることができる。このときには、図８に示すように、一対の保持溝部３１、３２が一対のガイド溝部５、６に対し相対的に９０°回転するので、回転規制部材３７の板ばね３８の弾力突起３８ａが係合凹部４１にクリック感をもって弾力的に係合して回転円板２５の回転位置を規制する。
【００４７】
そして、各支持アーム部９の各傾斜部９ａが鍵盤ケース１における背面１ａの両側に設けられた第２の位置規制部材４３を乗り越えると、図１２（ａ）に示したように、第２の位置規制部材４３の支持ピン４４に、各支持アーム部９の各傾斜部９ａにおける各対向縁が当接して、一対のスタンド部材２、３が互いに離れる方向に移動するのを規制すると共に、鍵盤ケース１の回転動作を規制する。これにより、一対のスタンド部材２、３が勝手に互いに離れる方向に移動するのを防ぐことができると共に、鍵盤ケース１が勝手に回転するのを防ぐことができるので、安定した状態で安全に鍵盤ケース１を垂直な状態に起立させることができる。
【００４８】
このように、この鍵盤楽器によれば、複数の鍵４が配列された鍵盤ケース１と、この鍵盤ケース１に連結される連結部１１をそれぞれ有して鍵盤ケース１を支持する一対のスタンド部材２、３と、鍵盤ケース１に設けられて一対のスタンド部材２、３の各連結部１１を接離方向に移動自在にガイドする一対のガイド溝部５、６と、この一対のガイド溝部５、６が互いに接近する鍵盤ケース１の中央部分に回転可能に設けられ、一対のスタンド部材２、３が互いに接近して各連結部１１が鍵盤ケース１の中央部分に移動したときに、各連結部１１が一対のガイド溝部５、６からそれぞれ離脱して挿入する一対の保持溝部３１、３２を有する回転部材７とを備えているので、使用するときに一対のスタンド部材２、３で鍵盤ケース１を水平な状態に安定させて支持でき、また使用しないときに楽器全体をコンパクトにすることができる。
【００４９】
すなわち、この鍵盤楽器によれば、一対のスタンド部材２、３を互いに離れる方向に移動させると、一対のスタンド部材２、３の各連結部１１が、鍵盤ケース１に設けられた一対のガイド溝部５、６に沿って互いに離れる方向にガイドされて、一対のガイド溝部５、６の互いに離れた両端部に移動するので、一対のスタンド部材２、３で鍵盤ケース１の両側を支持することができ、これにより鍵盤ケース１を水平な状態で安定させて支持することができるので、鍵４を押鍵操作して良好に演奏をすることができる。
【００５０】
また、一対のスタンド部材２、３を互いに接近する方向に移動させると、一対のスタンド部材２、３の各連結部１１が、鍵盤ケース１に設けられた一対のガイド溝部５、６に沿って互いに接近する方向にガイドされて鍵盤ケース１の中央部分に移動し、一対のガイド溝部５、６から離脱して回転部材７の一対の保持溝３１、３２に挿入し、この状態で回転部材７の回転円板２５を中心に鍵盤ケース１を回転させて垂直に起立させることができる。これにより、使用しないときに楽器全体を十分にコンパクトにすることができ、楽器を設置するための設置スペースの大幅な省スペース化を図ることができる。
【００５１】
この場合、一対のガイド溝部５、６と回転部材７とが鍵盤ケース１の背面１ａのみに設けられていることにより、鍵盤ケース１を前面１ｂ側から見たときに、鍵盤ケース１によって一対のガイド溝部５、６と回転部材７とが隠れて見えないので、外観的およびデザイン的に好ましいものを得ることができる。このように一対のガイド溝部５、６と回転部材７とを鍵盤ケース１の背面１ａのみに設けても、一対のスタンド部材２、３がそれぞれ台座部８と支持アーム部９とを備え、この支持アーム部９に取り付けられた連結部１１が鍵盤ケース１の背面１ａにおける一対のガイド溝部５、６および回転部材７に連結されていることにより、一対のスタンド部材２、３で鍵盤ケース１を安定した状態で支持することができる。
【００５２】
すなわち、一対のスタンド部材２、３の各台座部８は、鍵盤ケース１の背面１ａ側に対応する後脚部８ａと、鍵盤ケース１の前面１ｂ側に対応する前脚部８ｂと、後脚部８ａと前脚部８ｂとを連結する連結脚部８ｃとからなり、全体が上方から見てほぼエ形状に形成されているので、この台座部８に設けられた支持アーム部９の連結部１１が鍵盤ケース１の背面１ａにおける一対のガイド溝部５、６および回転部材７に連結されて、鍵盤ケース１の背面１ａ側のみを支持する構成であっても、一対のスタンド部材２、３の各台座部８によって鍵盤ケース１を安定した状態で水平に支持することができる。
【００５３】
また、一対のガイド溝部５、６は、鍵盤ケース１の背面１ａにその長手方向に沿って一直線上に設けられた各スリット孔５ａ、６ａと、鍵盤ケース１内に各スリット孔５ａ、６ａと対応して設けられた一対のガイドレール１２とを備え、この各ガイドレール１２がそれぞれ前レール１３ａおよび後レール１３ｂを有する上側レール部１３と、前レール１４ａおよび後レール１４ｂを有する下側レール部１４とからなり、且つ一対のスタンド部材２、３の各連結部１１が、支持アーム部９の上端部に固定軸１６によって取り付けられた支持板１７と、この支持板１７にそれぞれ回転自在に設けられてガイドレール１２の上側レール部１３と下側レール部１４とにガイドされて転動する複数の支持ローラ１８とを備えているので、連結部１１が上下方向および前後方向にガタツクことなく、連結部１１をガイドレール１２で円滑にガイドすることができる。
【００５４】
すなわち、支持板１７の内面における上下の４隅付近にそれぞれ回転自在に取り付けられた複数の支持ローラ１８は、それぞれ支持板１７に取り付けられた軸部２０と、この軸部２０に回転自在に取り付けられたローラ部２１とを備え、上部両側に位置する各ローラ部２１に上側レール部１３の前レール１３ａと後レール１３ｂとがそれぞれ挿入するガイド溝２１ａ、２１ａが設けられると共に、下部両側に位置する各ローラ部２１にも、下側レール部１４に設けられた前レール１４ａと後レール１４ｂとがそれぞれ挿入するガイド溝２１ｂ、２１ｂが設けられているので、各ローラ部２１が上側レール部１３と下側レール部１４に沿って転動する際に、連結部１１が上下方向および前後方向にガタツクことなく、円滑に連結部１１を上側レール部１３と下側レール部１４に沿って移動させることができる。
【００５５】
また、一対のスタンド部材２、３の各連結部１１は、上側に位置する２つの支持ローラ１８が上側レール部１３によって上方から押えられて上部位置が規制され、下側に位置する２つの支持ローラ１８が下側レール部１４によって下方から押えられて下部位置が規制されているので、一対のスタンド部材２、３が鍵盤ケース１の背面１ａ側のみを支持する構成でも、鍵盤ケース１を一対のスタンド部材２、３の各支持アーム部９に対し上下にガタツクことなく安定した水平な状態で連結することができる。
【００５６】
また、回転部材７は、鍵盤ケース１内に固定された固定台２３に取り付けられた取付軸２４と、この取付軸２４に回転自在に取り付けられた回転円板２５とを備え、取付軸２４が鍵盤ケース１の背面１ａにおける中心部分に設けられた円形状の孔部２６の中心に対応する位置に配置され、回転円板２５には一対のスタンド部材２、３が互いに接近して、各連結部１１が鍵盤ケース１の中央部分に移動したときに、各連結部１１が一対のガイド溝部５、６からそれぞれ離脱して挿入する一対の保持溝部３１、３２がそれぞれ設けられているので、各連結部１１が回転部材７の一対の保持溝部３１、３２に挿入して保持された状態で、回転部材７の回転円板２５を中心として鍵盤ケース１を容易に回転させて垂直に起立させることができる。
【００５７】
この場合、一対の保持溝部３１、３２は、一対のガイド溝部５、６と同じ構成であるから、一対のガイド溝部５、６と同様、各連結部１１が回転円板２５に対し上下方向および前後方向にガタツクことなく、確実に且つ良好に各連結部１１を保持することができる。また、回転円板２５と取付軸２４と間には、ダンパ部材２８が設けられているので、このダンパ部材２８によって回転円板２５に対して負荷を与えることができ、これにより回転円板２５の回転動作を制動することができるので、鍵盤ケース１が勝手に回転するのを防ぐことができると共に、鍵盤ケース１を安全に回転させることができる。
【００５８】
また、この回転円板２５は、その回転位置が回転規制部材３７によって、一対のガイド溝部５、６と一対の保持溝部３１、３２とが対応して連続する状態と、一対のガイド溝部５、６と一対の保持溝部３１、３２とが直交する状態とに規制されることにより、一対のスタンド部材２、３を互いに接近させて各連結部１１を一対のガイド溝部５、６から離脱させて回転円板２５の保持溝部３１、３２に挿入させる作業が容易にでき、また回転部材７によって鍵盤ケース１を垂直に起立させるときに、回転規制部材３７によって鍵盤ケース１の起立位置を規制することができると共に、鍵盤ケース１が勝手に回転するのを抑制することができる。
【００５９】
さらに、この鍵盤楽器によれば、一対のスタンド部材２、３が互いに離間して鍵盤ケース１を水平な状態に支持したときに、鍵盤ケース１に対し一対のスタンド部材２、３を位置規制する第１の位置規制部材４２を備えているので、一対のスタンド部材２、３を互いに離れる方向に移動させて鍵盤ケース１を水平な状態に支持したときに、一対のスタンド部材２、３が第１の位置規制部材４２によって互いに接近する方向に移動するのを規制することができ、これにより一対のスタンド部材２、３が勝手に互いに接近する方向に移動することがないので、安定した状態で鍵盤ケース１の鍵４を押鍵操作して良好に演奏をすることができる。
【００６０】
また、この鍵盤楽器によれば、一対のスタンド部材２、３が互いに接近して各連結部１１が回転部材７の一対の保持溝部３１、３２に挿入した状態で、鍵盤ケース１が回転部材７を中心として回転して垂直に起立したときに、鍵盤ケース１に対し一対のスタンド部材２、３を位置規制する第２の位置規制部材４３を備えているので、第２の位置規制部材４３によって一対のスタンド部材２、３が互いに離れる方向に移動するのを規制することができると共に、鍵盤ケース１の回転動作を規制することができる。これにより、一対のスタンド部材２、３が勝手に互いに離れる方向に移動するのを防ぐことができると共に、鍵盤ケース１が勝手に回転するのを防ぐことができるので、安定した状態で安全に鍵盤ケース１を垂直な状態に起立させておくことができる。
【００６１】
なお、上記実施形態では、鍵盤ケース１の背面１ａ側のみを一対のスタンド部材２、３で支持するように構成した場合について述べたが、これに限らず、鍵盤ケース１の背面１ａと前面１ｂとの両面側を一対のスタンド部材２、３で支持するように構成しても良い。この場合には、鍵盤ケース１の背面１ａと前面１ｂとにそれぞれ一対のガイド溝部５、６および回転部材７を設けると共に、一対のスタンド部材２、３の台座部８の前後部上にそれぞれ支持アーム部９を設け、この支持アーム部９にそれぞれ各連結部１１を設けた構成にすれば良い。
【図面の簡単な説明】
【００６２】
【図１】この発明を適用した鍵盤楽器の一実施形態を示した側面図である。
【図２】図１の鍵盤楽器の平面図である。
【図３】図１の鍵盤楽器の背面図である。
【図４】図３の状態の鍵盤楽器において一対のスタンド部材を互いに接近させた状態を示した背面図である。
【図５】図４の状態の鍵盤楽器において鍵盤ケースを回転させて垂直に起立させた状態を示した背面図である。
【図６】図３のＡ−Ａ矢視における要部の拡大断面図である。
【図７】図６の要部を鍵盤ケースの内側から見た拡大図である。
【図８】図４の回転部材を示した拡大図である。
【図９】図８のＢ−Ｂ矢視における要部の拡大断面図である。
【図１０】図９の分解斜視図である。
【図１１】図８のＣ−Ｃ矢視における要部の拡大断面図である。
【図１２】図３および図５の第１、第２の位置規制部材を示し、（ａ）は支持アーム部を規制した状態を示した拡大断面図、（ｂ）は支持アーム部に対する規制を解除した状態を示した拡大断面図である。
【符号の説明】
【００６３】
１  鍵盤ケース
２、３  一対のスタンド部材
４  鍵
５、６  一対のガイド溝部
７  回転部材
８  台座部
９  支持アーム部
１１  連結部
１２  ガイドレール
１３  上側レール部
１３ａ  前レール
１３ｂ  後レール
１４  下側レール部
１４ａ  前レール
１４ｂ  後レール
１６  固定軸
１７  支持板
１８  支持ローラ
２３  固定台
２４  取付軸
２５  回転円板
２８  ダンパ部材
３１、３２  一対の保持溝部
３７  回転規制部材
４２  第１の位置規制部材
４３  第２の位置規制部材
【図１】
2008242116.tif 000003
【図２】
2008242116.tif 000004
【図３】
2008242116.tif 000005
【図４】
2008242116.tif 000006
【図５】
2008242116.tif 000007
【図６】
2008242116.tif 000008
【図７】
2008242116.tif 000009
【図８】
2008242116.tif 000010
【図９】
2008242116.tif 000011
【図１０】
2008242116.tif 000012
【図１１】
2008242116.tif 000013
【図１２】
2008242116.tif 000014